(57)【要約】【課題】  従来のものは、鉄骨材等で数本の骨材によって立ち上がっており、子供の手で扱うには無理があり、作業全般がかなりの時間を要してしまう。それらを改善することを目的とする。【解決手段】  モンゴルの組立式移動テント（ゲル）のような形であるが、全体が天井面、床面、壁面からなり各面の境界に枠体が設けられ、天井枠及び床枠とその両者を上下につなぎ、均等間隔で支える四本もしくは複数体の壁枠を形設し、壁枠が区画されたそれぞれの壁面はすべて防水シートで形成され、その一つの壁面を出入口とし、その出入口はチャック式の両開き式になっており、出入口の両隣り及び真後ろの壁面にもチャック式の小窓を設け、出入口側枠の左右端近くに、一方に空気注入口他方に空気排出口を設け、四方の床枠の外側にスカート部を設け、そこにほぼ均等間隔で複数の杭打ち穴を形設したことを特徴とする空気式組立テント。【選択図】図１
2016061133.tif 000002
【特許請求の範囲】
【請求項１】
モンゴルの組立式移動テント（ゲル）のような形であるが、全体が天井面、床面、壁面からなり各面の境界に枠体が設けられ、天井枠及び床枠とその両者を上下につなぎ、均等間隔で支える四本もしくは複数本の壁枠を形設すし、壁枠が区画されたそれぞれの壁面はすべて防水シートで形成され、その一つの壁面を出入口とし、その出入口はチャック式の両開き式になっており、出入口の両隣り及び真後ろの壁面にもチャック式の小窓を設け、出入口側床枠の左右端近くに、一方に空気注入口、他方に空気排出口を設け、出入口の反対側（裏側）の床枠の左右端近くに、それぞれ空気排出口を設け、四方の床枠の外側にスカート部を設け、そこにほぼ均等間隔で複数の杭打ち穴を形設することを特徴とする空気式組立てテント。
【発明の詳細な説明】
【技術分野】
【０００１】    本発明は簡単に組立てられるテントに関するものである。
【背景技術】
【０００２】  従来のものは鉄材等のフレームを使用しているテントが多い。
【発明の概要】
【発明が解決しようとする課題】
【０００３】  従来のものは、多くは華奢な鉄骨材等で数本の骨材によって立ち上がっており、チョットした強風にあおられると自立状態が保てなくなる。又骨材は子供の手で扱うには無理があり、子供には組立てられない。作業全般がかなりの時間を要してしまう。
【発明を解決しようとする手段】
【０００４】  モンゴルの組立式移動テント（ゲル）のような形であるが、全体が天井面、床面、壁面からなり各面の境界に枠体が設けられ、天井枠及び床枠とその両者を上下につなぎ、均等間隔で支える四本もしくは複数体の壁枠を形設する。壁枠で区画されたそれぞれの壁面はすべて防水シートで形成され、その一つの壁面を出入口とし、その出入口は人が頭を少し下げて軽く前かがみになれば、通れる程の高さで、約１メートル幅程の大きさで、チャック式の両開き式になっており、出入口の両隣り及び真後ろの壁面にもチャック式の小窓を設ける。出入口側床枠の左右端近くに一方に空気注入口、他方に空気排出口を設け、出入口の反対側（裏側）の床枠の左右端近くにそれぞれ空気排出口を設ける。四方の床枠の外側に周回してスカート部を設け、スカート部にほぼ均等間隔で複数の杭打ち穴を形設する。
以上を特徴とする空気式組立てテントである。
【発明の効果】
【０００５】  子供でも、持ち運びでき、海や山でも子供が組立て自体を楽しめる。
組立てに時間がかからず、たたむ時も空気をぬくだけで簡単に戻すことができる。遮光性の強い素材を使用しているのでテントの中は涼しく過ごすことができ、着替えすることもできる。
【図面の簡単な説明】
【０００６】
【図１】  本発明の出入口側からみた斜視図
【図２】  本発明の裏側からみた斜視図
【図３】  本発明の１〜２人用の実施例を示す斜視図
【図４】  図３を反対側からの斜視図
【図５】  本発明の実施例を示す斜視図
【図６】  本発明の別の実施諸例を示す斜視図
【発明を実施するための形態】
【０００７】  モンゴルの組立式移動テント（ゲル）のような形であるが、全体が天井面（１）床面（２）壁面（３）からなり、天井面（１）と床面（２）はやや円形状であり、おのずと壁面（３）は円筒壁状になり、  各面の境界に枠体が設けられ、天井枠（４）、床枠（５）の上下間にほぼ同等の間隔で壁枠（６）を形設する。テントの出入口（７）はチャック式の両開き式になっており、入口の両隣りの壁面（３）及び真後ろの壁面（３）にもチャック式の小窓（８）がある。空気注入口（９）より空気を入れることにより、壁枠（６）、床枠（５）、天井枠（４）と天井面（１）、床面（２）、壁面（３）がすべて一体化されており、簡単に組立てられる。空気排出口（１０）は３か所設けているために折りたたみに時間がかからない。四方の床枠（５）の外側にスカート部（１１）を設け、そこにほぼ均等間隔で複数の杭打ち穴を形設する。
なお、枠体の設置場所や数は諸形態が考えられ、また天井面（１）は特に設けず、単に壁面（３）の連続的一部として形成されても同様の効果がえられる。
本発明は、以上のような構成であり、以下その具体的な使用形態について説明する。
この空気式組立テントの特徴は一部分に空気を入れることで組立てできる構造になっているため時間がかからず子供でも簡単に組み立てられ、楽しく遊ぶことができる。折りたたむ場合でも、大小あわせて数か所排出口（１０）が設けられ、簡単に空気がぬける。さらにエアーポンプで抜き取れば、より、完全に空気が抜け小さく折りたたむことができる。軽くて大きな荷物にならず持ち運びに便利である。
また天井面（１）床面（２）壁面（３）すべてが一体構造になっているため、海水浴場でも、テントの中に砂などが入りづらくなっている。また雨風に強く、壊れる心配もない。特にテントの中に人が居る場合は、その体重が重しになって、少し位の風では飛ばされない。さらに、スカート部（１１）が杭でしっかり固定されているので、突風対策も心配いらない。また遮光性に対応した素材で全体が形成されているので中に居ても涼しい。さらに各壁面（３）にチヤック式の小窓（８）があり、風通しも申し分ない。窓を閉じることによって中で着替えもでき便利である。雨風や突風にも壊れる心配がないので、特に１〜２人用のテントは登山者にも便利な必需品である。
子供達が遊べる象さんの家やお城の家などを空気式テントで形成することもできる。今では足踏みエアーポンプＳ（エス）という小さな空気入れがあり、それを使うことによって、幼児でも楽しく象さんの家やお城の家を完成させることができ、テントを設営すること自体が貴重な遊び体験ともなる。
公園などで利用することによって遊びも倍増し、チャック式の小窓（８）を閉じることによって虫対策にもなり、中で仮眠することもできる。
柔らかい素材で造られているため、子供が怪我をする心配もなく、家の中、ベランダ、庭、キャンプ遊びなど、巾広く活用できる。プール遊びと併用したりすれば、楽しさも倍増する。
【符号の説明】
【０００８】１、天井面、  ２、床面、  ３、壁面、  ４、天井枠、  ５、床枠、  ６、壁枠、
７、出入口、  ８、小窓、  ９、注入口、  １０、排出口、  １１、スカート部、
１２、杭打ち穴、
【図１】
2016061133.tif 000003
【図２】
2016061133.tif 000004
【図３】
2016061133.tif 000005
【図４】
2016061133.tif 000006
【図５】
2016061133.tif 000007
【図６】
2016061133.tif 000008